(57)【要約】      （修正有）【課題】ペダル本体の前面と背面に装着されたＬＥＤが発光して、周辺でも容易に識別できる自転車用発光ペダルを提供する。【解決手段】発光ペダルは、発電ユニットを有し、発電ユニットは、ペダルシャフト１２の中央部分に、円筒状から放射状に片状を有し、内径と外径が互いに異なる極性を有した複数の磁石が接着剤で接着されて、外径面に沿って異なる極性が繰り返す円筒状をなして装着固定される多極磁石と、ペダル本体１３のペダルシャフトが貫通される中央を中心に、両側に対称に形成される一対の空間部と、空間部に突設される一対の装着突起と、両側端が装着突起に回転自在に装着される回転軸と、回転軸に装着される回転磁石と、空間部の内側縁に沿って装着されるコイルと、コイルと連結され、ペダル本体の前面又は背面に装着されるＬＥＤ発光ユニット２７とを含む。【選択図】図１
0003223288.tif 000002
【実用新案登録請求の範囲】
【請求項１】
自転車１のクランクアーム１１に装着されるペダルシャフト１２と、前記ペダルシャフト１２に回転自在に結合されるペダル本体１３とからなるペダルに、発電ユニット２を設けて、ペダル本体１３に装着される照明部を発光させる自転車用発光ペダルであって、
前記発電ユニット２は、ペダルシャフト１２のペダル本体１３に挿入される中央部分に、円筒状から放射状に片状を有し、内径と外径が互いに異なる極性を有した複数の磁石が接着剤で接着されて、外径面に沿って異なる極性が繰り返す円筒状をなし、装着固定される多極磁石２１と、前記ペダル本体１３のペダルシャフト１２が貫通される中央を中心に、両側に対称に形成される一対の空間部２２と、前記空間部２２に突設される一対の装着突起２３と、両側端が前記装着突起２３に回転自在に装着される回転軸２４と、前記回転軸２４に装着される回転磁石２５と、前記空間部２２の内側縁に沿って装着されるコイル２６と、前記コイル２６と連結され、ペダル本体１３の前面又は背面に装着されるＬＥＤ発光ユニット２７とを含むことを特徴とする自転車用発光ペダル。
【請求項２】
前記多極磁石２１は、一体に成形された後、多極着磁により外面に沿って複数の極が形成されるように構成されることを特徴とする請求項１に記載の自転車用発光ペダル。
【請求項３】
前記ペダル本体１３は、透明な素材からなり、一対の前記空間部２２は、両側面よりそれぞれ前面又は背面と隣接した内側面と離隔して、相互対向する方向に突出する一対のガイド突起２８を更に備え、前記ＬＥＤ発光ユニット２７は、薄板状の表面実装型ＬＥＤからなり、両側のガイド突起２８によって形成された空間に挿入するように構成されることを特徴とする請求項１又は２に記載の自転車用発光ペダル。
【考案の詳細な説明】
【技術分野】
【０００１】
本考案は、自転車用発光ペダルに関し、より詳しくは、自転車を走行することに当たり、クランクアームに結合されるペダルシャフトに対して、ペダル本体が相対的に回転する運動を用いて、ペダル本体の前面と背面に装着されたＬＥＤが発光して、周辺でも容易に識別できるように開発された自転車用発光ペダルに関する。  
【背景技術】
【０００２】
従来の自転車は、子供には遊び手段であるが、青少年を始めとする大人には、移動手段の機能が主を成しており、近年には、運動及びレジャーの目的に、利用人口が急激に増えており、その人口数が１２００万を超えている。  
【０００３】
これに伴い、自転車事故も急増し、事故を防止する様々な手段を求めており、主に夜間に後方より近付く自動車が自転車を容易に識別できるように、従来には自転車の後方に明かりを反射する反射板を装着したことを、光が直接発光するようにする後尾灯を使用するなどの努力が続いている。  
【０００４】
また、自転車のペダルにおいても、ペダル本体の前面と背面に反射板を装着して、前方と後方で識別するようにしているが、明かりの方向によって反射程度が明らかに異なっており、また、使用に際して、埃やチェーンの潤滑油などが汚染した状態で、その効果は足りない状態であった。  
【０００５】
これに対して、大韓民国実用新案登録第２０−０３１５５７３−００００号（２００３．０５．２６．）では、ペダルシャフトが回転する永久磁石を有した軸となり、ペダル本体にコイルを配置して、ペダルシャフトの回転によりコイルで電気が発生して、発光要素を点灯させる構成を有している。  
【０００６】
しかし、ペダルシャフトとペダル本体の結合部位にコイルを含む要素を配置する場合、構造が複雑となり、また、走行中に破損した場合、大きな事故の危険があるため、強固が必須であるペダルの耐久性に深刻な影響を及ぼすことになる。  
【０００７】
また、発生する誘導電力は、銅コイルの巻数と磁石が動く速度に比例するものであるが、コイルを十分巻き取れる空間の確保が難しいという問題点がある。  
【先行技術文献】
【特許文献】
【０００８】
【特許文献１】大韓民国実用新案登録第２０−０３１５５７３−００００号（２００３．０５．２６．）
【特許文献２】大韓民国特許登録第１０−１０７６６１３−００００号（２０１１．１０．１９．）
【特許文献３】大韓民国特許登録第１０−１６２５２７９−００００号（２０１６．０５．２３．）
【考案の概要】
【考案が解決しようとする課題】
【０００９】
本考案は、前述した問題点を解決するためになされたものであって、その目的は、ペダル本体に対して相対的に回転するペダルシャフトを用いて、ペダルのＬＥＤを発光させると共に、ペダルシャフトとペダル本体の結合構造を強固に維持することができる自転車用発光ペダルを提供することである。
【課題を解決するための手段】
【００１０】
前記のような目的を達成するために、本考案は、自転車のクランクアームに装着されるペダルシャフトと、前記ペダルシャフトに回転自在に結合されるペダル本体とからなるペダルに、発電ユニットを設けて、ペダル本体に装着される照明部を発光させる自転車用発光ペダルであって、前記発電ユニットは、ペダルシャフトのペダル本体に挿入される中央部分に、円筒状から放射状に片状を有し、内径と外径が互いに異なる極性を有した複数の磁石が接着剤で接着されて、外径面に沿って異なる極性が繰り返す円筒状をなし、装着固定される多極磁石と、前記ペダル本体のペダルシャフトが貫通される中央を中心に、両側に対称に形成される一対の空間部と、前記空間部に突設される一対の装着突起と、両側端が前記装着突起に回転自在に装着される回転軸と、前記回転軸に装着される回転磁石と、前記空間部の内側縁に沿って装着されるコイルと、前記コイルと連結され、ペダル本体の前面又は背面に装着されるＬＥＤ発光ユニットとを含むことを特徴とする。  
【００１１】
前記多極磁石は、一体に成形された後、多極着磁により外面に沿って複数の極が形成されるように構成される。  
【００１２】
前記ペダル本体は、透明な素材からなり、一対の前記空間部は、両側面よりそれぞれ前面又は背面と隣接した内側面と離隔して、相互対向する方向に突出する一対のガイド突起を更に備え、前記ＬＥＤ発光ユニットは、薄板状の表面実装型ＬＥＤからなり、両側のガイド突起によって形成された空間に挿入するように構成される。  
【考案の効果】
【００１３】
本考案によると、ペダルシャフトの相対的な回転により装着された多極磁石の磁力は、ペダル本体の両側に装着された回転磁石を回転させ、回転磁石の回転により、コイルで電気が発生して、ＬＥＤを発光させる構造を有することによって、発光する光で夜間に安全を確保すると共に、審美感を付与し、多くの力が作用するペダルシャフトとペダル本体の結合部位の強固さを維持することができるので、耐久性を確保することができる。  
【図面の簡単な説明】
【００１４】
【図１】図１は、本考案の一実施例による斜視図である。
【図２】図２は、本考案の一実施例によるペダルを示す斜視図である。
【図３】図３は、本考案の一実施例によるペダルシャフトを示す斜視図である。
【図４】図４は、本考案の一実施例によるペダル本体を示す分解斜視図である。
【図５】図５は、本考案の一実施例による作動原理を示す概念図である。
【図６】図６は、本考案の他の実施例によるペダル本体を示す分解斜視図である。
【考案を実施するための形態】
【００１５】
以下、本考案の構成を、添付の図面によって、当業者が容易に理解するように詳述する。
【００１６】
図１は、本考案の一実施例による斜視図であり、図２は、本考案の一実施例によるペダルを示す斜視図であり、図３は、本考案の一実施例によるペダルシャフトを示す斜視図であり、図４は、本考案の一実施例によるペダル本体を示す分解斜視図であり、図５は、本考案の一実施例による作動原理を示す概念図であって、自転車１のクランクアーム１１に装着されるペダルシャフト１２と、前記ペダルシャフト１２に回転自在に結合されるペダル本体１３とからなるペダルに、発電ユニット２を設けて、ペダル本体１３に装着される照明部を発光させる自転車用発光ペダルの基本原理は、前記のように従来技術にもあるものであり、既に商品化して販売されている。  
【００１７】
しかし、自転車１において、最も重要な要素は、安全性であり、発電ユニット２によって自発光する構成が、安全性の確保には確かに役に立つが、ペダル自体の強固さを落とす構造であると、むしろ、使用者に被害を与えることになる。  
【００１８】
本考案は、ペダルシャフト１２には、ペダル本体１３に挿入される中央部分に、円筒状から放射状に片状を有し、内径と外径が互いに異なる極性を有した複数の磁石が接着剤で接着されて、外径面に沿って異なる極性が繰り返す円筒状を成し、装着固定される多極磁石２１を装着するようにして、従来のペダル本体１３との結合構成に、多極磁石２１だけを配置したものであって、耐久性に及ぶ影響を最少化する構成となっている。  
【００１９】
このような多極磁石２１は、コイル２６に誘導起電力を生じる用途ではなく、他の回転磁石２５を回転させるようにする構成であって、本考案は、前記ペダル本体１３のペダルシャフト１２が貫通される中央を中心に、両側に対称に形成される一対の空間部２２と、前記空間部２２に突設される一対の装着突起２３と、両側端が前記装着突起２３に回転自在に装着される回転軸２４と、前記回転軸２４に装着される回転磁石２５と、前記空間部２２の内側縁に沿って装着されるコイル２６と、前記コイル２６と連結され、ペダル本体１３の前面又は背面に装着されるＬＥＤ発光ユニット２７とを含む。  
【００２０】
すなわち、多極磁石２１の相対的な回転によって、両側の回転磁石２５が回転することになり、この際、コイル２６で電気が発生して、ＬＥＤ発光ユニット２７を発光させる構造となっている。  
【００２１】
このような構成は、空間部２２のサイズによって異なるが、コイル２６を装着するに十分な空間を形成することができ、コイル２６の巻数が多いほど、大電力を生産することができる特性であるため、ＬＥＤ発光ユニット２７をより明るく発光することができる。  
【００２２】
また、ペダル本体１３の耐久性の確保は、ペダルシャフト１２が貫通する部分と縁部で十分であるため、両側に空間部２２を形成することは、ペダル本体１３の耐久性を損なわない。
【００２３】
更に、本考案において、前記多極磁石２１は、一体に成形された後、多極着磁により外面に沿って複数の極が形成されるように構成される実施例を更に示している。  
【００２４】
前記多極磁石２１が２つの極性だけがある場合、ペダルシャフト１２が一回転すると、回転磁石２５も一回転することになって、ペダルの遅い回転速度で十分な電気を生産することができないので、図面でのように、外面に沿って、４つの極性が変わるように構成すると、ペダルシャフト１２の回転数よりも２倍も多く回転して、より多くの電気を生産することができるので、より多くの極性を有するように構成することもできる。  
【００２５】
また、多極着磁の方式は、主に、フェライト磁石に多く使用されるもので、粉末を焼結成形した後、様々な方向に電流を流しながら着磁するようにする方法であって、公知の技術であると言える。  
【００２６】
図６は、本考案の他の実施例によるペダル本体を示す分解斜視図であって、前記ペダル本体１３は、透明な素材からなり、一対の前記空間部２２は、両側面よりそれぞれ前面又は背面と隣接した内側面と離隔して、相互対向する方向に突出する一対のガイド突起２８を更に設け、前記ＬＥＤ発光ユニット２７は、薄板状の表面実装型（ＳＭＤ；Ｓｕｒｆａｃｅ  Ｍｏｕｎｔ  Ｄｅｖｉｃｅ）ＬＥＤからなり、両側のガイド突起２８によって形成された空間に挿入するように構成される実施例を更に示している。  
【００２７】
本考案は、単に、前方と後方に光を照射するものではなく、ＬＥＤ発光ユニット２７を内部に装着し、ペダル本体１３を透明な素材で製作する場合は、ＬＥＤ発光ユニット２７の光は、前方や後方に向かうことの他に、ペダル本体１３を通過しながら散乱して、ペダル全体が発光するような効果を奏することができる。
【００２８】
このような方法は、前方と後方で確認するだけでなく、夜間に両側を含む四方においても、自転車の有無を確認することができるため、事故の予防に大きく寄与し、新たな審美感を与える要素としても期待することができる。  
【符号の説明】
【００２９】
１  ：  自転車
１１  ：  クランクアーム
１２  ：  ペダルシャフト
１３  ：  ペダル本体
２  ：  発電ユニット
２１  ：  多極磁石
２２  ：  空間部
２３  ：  装着突起
２４  ：  回転軸
２５  ：  回転磁石
２６  ：  コイル
２７  ：  ＬＥＤ発光ユニット
２８  ：  ガイド突起  
【図１】
0003223288.tif 000003
【図２】
0003223288.tif 000004
【図３】
0003223288.tif 000005
【図４】
0003223288.tif 000006
【図５】
0003223288.tif 000007
【図６】
0003223288.tif 000008